(57)【要約】【課題】撮像装置に装着するハンドルは大きさや形状が決まっており、またビューファインダがハンドルに固定されていて移動できないので、撮影環境や被写体に合わせた形態での撮影を行うことができない。また、ユーザーによってハンドルとビューファインダの位置を使い勝手の良い最適な位置に移動することができない。【解決手段】ハンドル部をビューファインダ取付部とハンドルを分離することでそれぞれを最適な位置に配置して使用できる。また、ビューファインダ取付部とハンドルを結合することで、把持部の閉じた形態であるハンドル部として使用可能とする。【選択図】図９ａ
2017026782.tif 000002
【特許請求の範囲】
【請求項１】
撮像装置本体に対して任意の位置に取付け可能でハンドルの形状が開口している片持ちのハンドルであって、開口したハンドルの一端が把持部であり、もう一端が撮像装置本体への取付部となっているハンドルと、撮像装置本体の上面の任意の位置に取付け可能な光学系保持部材からなり、ハンドルと光学系保持部材とを結合することで、開口のない閉じた形態のハンドルとして使用可能なハンドル部を備える撮像装置。
【請求項２】
光学系保持部材にアクセサリー取付形状またはアクセサリー取付ネジ部を有し、ハンドルとアクセサリー取付形状またはアクセサリー取付ネジ部を用いて結合が可能なハンドル部を備える請求項１に記載の撮像装置。
【発明の詳細な説明】
【技術分野】
【０００１】
本発明は、撮像装置に関し、特にハンドル部を備えた撮像装置のハンドルの分割に関する。
【背景技術】
【０００２】
従来、業務目的に使用される撮像装置には持ち運びが容易にできるように手で把持する為のハンドル部を備えている。
【０００３】
主に報道用に使用される撮像装置の場合は、肩に装置を乗せて使用することが多い為に、ユーザーの目の位置がほぼ変わらない。その為に、電子ビューファインダはハンドル部に取り付けられていることが多い。また、撮像装置を受け渡しする機会が多いために、受け渡しの際に撮像装置を落下させないようにハンドル部の形状が開口の無い閉じた形状である必要がある。
【０００４】
一方、主に映画撮影に使用される撮像装置は、撮像装置に取り付ける周辺機器や撮影環境に応じてハンドルの位置が自由に決められ、また電子ビューファインダについては撮影監督等の拘りにより、使用するファインダーの種類も設置位置も様々であり、撮影者の好みファインダーを好みの位置に設置して使用することが多い。
【０００５】
上述したように報道用の撮像装置では、開口のない閉じた形状が求められ、一方で映画撮影用ではハンドルやビューファインダの設置位置の自由度が求められ、それぞれ必要な要素が異なるために、同一のハンドル部を両者の共通ハンドルとして使用することが困難であった。
【０００６】
特許文献１の撮像装置では、電子ビューファインダを備えるハンドル部の位置が前後に移動可能な構成をとっている。これにより、装着するレンズにより重心が移動した場合に使いやすい位置にハンドル部の位置を移動することが可能となる。
【先行技術文献】
【特許文献】
【０００７】
【特許文献１】特開２０１４−２０４２５５号公報
【発明の概要】
【発明が解決しようとする課題】
【０００８】
しかしながら、上記従来例ではハンドルの大きさが決まっており、ハンドルの取り外しができず、ビューファインダをハンドルに取り付ける構成になっている為に、以下のような問題点があった。
【０００９】
撮影現場が狭い場合にハンドルの大きさを変えることができない為、撮像装置全体をコンパクトにして狭小な環境での撮影を行うことができない。
【００１０】
ユーザーによって、ハンドルとビューファインダの位置を使い勝手の良い最適の位置に移動することができない。
【課題を解決するための手段】
【００１１】
本発明のハンドル部は、ビューファインダ取付部とハンドルを分離することで、映画撮影においては、ビューファインダとハンドルのそれぞれを撮影者の好みの位置に配置できることを特徴としている。
【００１２】
また、本発明の他の特徴とするところは、ビューファインダ取付部とハンドルを結合することで、報道用の撮像装置として、機器の受け渡しを円滑に行える閉じた形状である第二の形態のハンドル部として使用可能であることを特徴としている。
【００１３】
また、本発明のその他の特徴とするところは、ビューファインダ取付部に備えるアクセサリー取付形状またはアクセサリー取付ネジ部を有し、ハンドルとアクセサリー取付形状またはアクセサリー取付ネジ部を用いて結合することを特徴としている。
【発明の効果】
【００１４】
本発明によれば、ビューファインダ取付部とハンドルを別々に位置を調整することが可能なので、映画の撮影で求められている撮影環境や撮影対象及びユーザーの好みにより自由な形態での撮影が可能である。また、ビューファインダ取付部とハンドルを結合して報道用の閉じた形態のハンドルとして使用可能である為、映画撮影用と報道用とでハンドルを共通で使用することが可能となる。
【００１５】
また、映画撮影用においては、ハンドルとビューファインダ取付部の位置を近接させて設置できるので、撮像装置本体にハンドル部を装着しても大型化せず、コンパクトな形態での撮影が可能となる。
【図面の簡単な説明】
【００１６】
【図１】第１の実施形態を説明する斜視図
【図２】ビューファインダの回動を説明する図
【図３】ハンドルを前方に固定する形態を説明する図
【図４】ハンドルのネジピッチと本体のビス穴ピッチの関係を説明する図
【図５】第２の実施形態を説明する図
【図６ａ】第２の実施形態のハンドルを説明する図
【図６ｂ】第２の実施形態のハンドルを説明する図
【図７】ハンドルとビューファインダを個別使用する形態を説明する図
【図８】ハンドル部の第二の形態を説明する図
【図９ａ】ハンドル部の第二の形態の接続を説明する図
【図９ｂ】ハンドル部の第二の形態の接続を説明する図
【図９ｃ】ハンドル部の第二の形態の接続を説明する図
【図９ｄ】ハンドル部の第二の形態の接続を説明する図
【発明を実施するための形態】
【００１７】
以下、本発明を実施するための形態について、図面を参照して詳細に説明する。
【００１８】
＜第１の実施形態＞
図１は本発明の実施形態に係るハンドル１０２とビューファインダ取付部１０３に分離した形態でそれぞれを装着した撮像装置の斜視図である。
【００１９】
撮像装置本体（映画用）１００に被写体や撮影環境によりユーザーが自由に選択し着脱可能なカメラレンズ１０１が装着されている。また、ローアングル撮影や撮像装置を持ち運ぶ際に把持する為のハンドル１０２及びビューファインダ取付部１０３が具備されている。ビューファインダ取付部１０３には回動可能なアーム部１０５が備えられており、図２に示すようにユーザーが所望の位置にビューファインダ１１２を移動することができる。
【００２０】
また、前記ハンドル１０２及びビューファインダ取付部１０３は、撮像装置本体（映画用）１００に着脱可能な構成になっており、本実施例ではビス３００ により撮像装置本体（映画用）１００の上面に設けた複数の本体ネジタップ（映画用）３０１により締結して固定される。何れの位置に固定するかは、ユーザーが使用環境に応じて自由に選択することが可能である。
【００２１】
上記に述べたようにハンドル１０２とビューファインダ取付部１０３を分離した構成にすることで、ビューファインダ取付部１０３の位置に関わらずハンドル１０２の位置を移動することが可能となるので、より前方でハンドル１０２をグリップして撮影したい場合などにハンドル１０２の位置を対応させることができる（図３）。
【００２２】
上記位置関係を実現する為に必要なハンドル１０２とビューファインダ取付部１０３の寸法関係を図３を用いて説明する。ハンドル１０２の底面からグリップ面までの高さをＩ、グリップの最大長さをＤ、取付け面の長さをＣ、またビューファインダ取付部１０３の底面から上面までの高さをＨとする。この時、Ｉ＞ＨかつＤ＞Ｃの寸法関係となるように上記にハンドル１０２とビューファインダ取付部１０３は構成されている。
【００２３】
上記の寸法関係に構成することで、ビューファインダ取付部１０３とハンドル１０２を図３に示すようにオーバーラップして取り付けることができ、ハンドル部２００をコンパクトに構成することが可能となる。
【００２４】
次に、撮像装置本体（映画用）１００の本体ネジタップ（映画用）３０１とハンドル取付け穴１３０のピッチ関係を図４で説明する。図中のＰは本体ネジタップ（映画用）３０１のネジ穴ピッチ、Ｌはハンドル取付け穴１３０のピッチである。それぞれのピッチがＰ＝Ｌで設けられており、ハンドル１０２を移動しても本体ネジタップ（映画用）３０１のネジ穴とハンドル１０２の取付け穴が一致するので、自由な位置に固定が可能である。また、ビューファインダ取付部ビス穴１３１もハンドル取付け穴１３０と同様に本体ネジタップ（映画用）３０１と同じピッチで設けてあり、自由な位置に固定が可能である。
【００２５】
ユーザーは、ハンドル１０２が不要な場合には、ビューファインダ取付部１０３のみを取り付けて撮影することも可能であり、逆にビューファインダ取付部１０３が不要な場合にはハンドル１０２のみを取り付けて撮影することが可能である為、様々なシーンに合わせた撮影する際の自由度が上がる。
【００２６】
＜第２の実施形態＞
以下、本発明の第２の実施形態について図面を参照して詳細に説明する。
【００２７】
図５は本発明の実施形態に係る第一の形態のハンドル構成を説明する図であり、主に映画撮影に使用される構成である。
【００２８】
前記撮像装置本体（映画用）１００に対してハンドル２０２とビューファインダ取付部２０３がビス３００によりそれぞれ固定されている。撮像装置本体（映画用）１００に対してビューファインダ１１２とハンドル２０２の位置をユーザーが好みの位置に自由に固定して使用することが可能である。
【００２９】
例えば図６（ａ）に示すように、ビューファインダ取付部２０３を外してハンドル２０２を撮像装置本体（映画用）１００の前方に固定してコンパクトな形態で使用したり、図６（ｂ）に示すように三脚やリグに装着する場合にはハンドル２０２を外してビューファインダ取付部２０３のみを取り付けて使用することも可能である。
【００３０】
図７に、ハンドル２０２とビューファインダ取付部２０３の上面図を示す。ハンドル２０２の上面には、ライトやアーム等のアクセサリーが取付可能な径の異なるハンドルネジタップ大２０７とハンドルネジタップ小２０８が共通のピッチＴとＳで任意の数設けてある。またハンドル２０２のハンドル取付け穴２３０のピッチはＵであり、それぞれのピッチはＴ＝Ｓ＝２Ｕの関係となっている。また、ハンドル取付け穴２３０の上部に設けたハンドルネジタップ大２０７とハンドルネジタップ小２０８のＸ方向の位置はハンドル取付け穴２３０の位置と一致している。
【００３１】
また、前記ビューファインダ取付部２０３の上面にはアクセサリーシュー２０６が設けてあり、ライト等のアクセサリーシュー２０６に対応したアクセサリを装着可能である。またアクセサリーシュー２０６の上面にはアクセサリネジタップ２０９が備えられており、ネジ径に対応したライトやアーム等のアクセサリを装着可能である。
【００３２】
ビューファインダ取付部ビス穴２３１のピッチＶはＵ＝Ｖである。また、アクセサリネジタップ２０９の位置はＸ方向でビューファインダ取付部ビス穴２３１の最前方（Ｘ方向）の穴位置と一致している。
【００３３】
次に本発明の実施形態に係るハンドル部２００を結合して装着した第二の形態である撮像装置の構成を図８を用いて説明する。前記第二の形態は主に報道用の撮影に使用される構成である。
前記カメラレンズ２０１には、撮像装置本体（報道用）５００を肩に載せて使用する際にカメラレンズ２０１を把持して、ズーム操作や記録をスタートさせる為のボタン等を備えたレンズグリップ部２０４が設けてある。
【００３４】
まず、前記ハンドル２０２とビューファインダ取付部２０３の結合方法について図９を用いて詳細を説明する。
【００３５】
ハンドル２０２には上面に径の異なるハンドルネジタップ大２０７とハンドルネジタップ小２０８が複数設けてあり、ハンドルネジタップ大２０７の底面が貫通している。
【００３６】
前記ハンドルネジタップ大２０７の径はＥ、底面の穴２４０径はＦであり、小型のビス２１９のネジ頭の径Ｇと関係はＥ＞Ｇ＞Ｆとなっている。よって小型のビス２１９のネジ頭は、ハンドルネジタップ大２０７を通過可能であるが、底面の穴２４０の径より大きい為に通過せず引っかかるので、ネジによる固定が可能となっている。
【００３７】
また、ハンドル２０２のグリップ側には、アクセサリーシュー２０６にスライド挿入可能な溝２１１が設けてある。
【００３８】
一方、ビューファインダ取付部２０３の前方上面に備えられているアクセサリーシュー２０６のアクセサリネジタップ２０９は前記小型のビス２１９に対応するネジタップが設けてあり、小型のビス２１９による締結が可能となっている。
【００３９】
前記ハンドル２０２の溝２１１に前記ビューファインダ取付部２０３のアクセサリーシュー２０６をスライド挿入し、小型のビス２１９によりビューファインダ取付部２０３のアクセサリネジタップ２０９と締結することで、第二の形態のハンドル部２００を構成することができる。
【００４０】
ハンドル２０２を撮像装置本体（報道用）５００に取り付ける面に設けてある複数の本体ネジタップ（報道用）５０１は、前記ハンドル２０２の上面に設けてあるハンドルネジタップ小２０８と同一のピッチで設けてあるので、ハンドル２０２の位置を任意の位置に移動しても、第二の形態のハンドル部２００として取付けが可能である。
【００４１】
上述したように撮像装置のハンドル部２００を第一の形態と第二の形態で使用可能としたことで、ユーザーは撮影環境、被写体などの種類により自由にハンドルの形態を選択することができる。例えば狭い環境では第一の形態でハンドル１０２を外して撮影したり、また撮像装置の受け渡しが多い環境では第二の形態の形態で撮影したりすることが可能であるのでシチュエーションに合わせた使い方が可能になり、撮影の幅が広がる。
【００４２】
また、一つのハンドル部２００で第一の形態と第二の形態を実現できるために、報道用及び映画撮影用でハンドルを共通化することができる。
【符号の説明】
【００４３】
１００  撮像装置本体（映画用）、１０１  カメラレンズ、１０２  ハンドル、
１０３  ビューファインダ取付部、１０５  アーム部、１１２  ビューファインダ、
１３０  ハンドル取付け穴、１３１  ビューファインダ取付部ビス穴、
２００  ハンドル部、２０１  カメラレンズ、２０２  ハンドル、
２０３  ビューファインダ取付部、２０４  レンズグリップ部、
２０６  アクセサリーシュー、２０７  ハンドルネジタップ大、
２０８  ハンドルネジタップ小、２０９  アクセサリネジタップ、２１１  溝、
２１９  小型のビス、２３０  ハンドル取付け穴、
２３１  ビューファインダ取付部ビス穴、２４０  底面の穴、３００  ビス、
３０１  本体ネジタップ（映画用）、５００  撮像装置本体（報道用）、
５０１  本体ネジタップ（報道用）
【図１】
2017026782.tif 000003
【図２】
2017026782.tif 000004
【図３】
2017026782.tif 000005
【図４】
2017026782.tif 000006
【図５】
2017026782.tif 000007
【図６ａ】
2017026782.tif 000008
【図６ｂ】
2017026782.tif 000009
【図７】
2017026782.tif 000010
【図８】
2017026782.tif 000011
【図９ａ】
2017026782.tif 000012
【図９ｂ】
2017026782.tif 000013
【図９ｃ】
2017026782.tif 000014
【図９ｄ】
2017026782.tif 000015